(57)【要約】【課題】複数の人が異なる映像及び音声を視聴する場合の利便性を向上することが可能な映像表示装置及びその制御方法を提供する。【解決手段】ユーザは、リモコン収容部４からリモコンＲ２を取り出すことによって、表示部１１の表示状態を全画面表示状態から２画面表示状態にすることができる。また、取り出したリモコンＲ２の音声出力端子６５にヘッドホンＨを接続することにより、２画面表示状態になって新たに表示された映像に対応する音声を聴くことができる。その後、ユーザが、リモコンＲ２をリモコン収容部４に収容すれば、表示部１１の表示状態は、２画面表示状態から全画面表示状態に戻る。【選択図】図１
2008148182.tif 000002
【特許請求の範囲】
【請求項１】
第１の映像信号に基づく第１の映像、及び第２の映像信号に基づく第２の映像を表示可能な表示部と、
前記第１の映像信号に対応する第１の音声信号に基づく第１の音声を出力するための第１の音声出力部と、
前記第２の映像信号に対応する第２の音声信号を無線信号に変換し、当該無線信号を送信する音声送信部と、
遠隔操作を行うためのリモコンと、
を備え、
前記リモコンは、
前記音声送信部から送信される前記無線信号を受信する音声受信部と、
前記音声受信部で受信した無線信号に基づく第２の音声を出力するための第２の音声出力部と、
を備えたことを特徴とする映像表示装置。
【請求項２】
請求項１に記載の映像表示装置であって、
前記表示部の略全面に前記第１の映像を表示させる第１の状態と、前記表示部に前記第１の映像及び前記第２の映像を並べて表示する第２の状態とを切り換える表示切換部と、
前記リモコンを収容可能なリモコン収容部と、
前記リモコン収容部に前記リモコンが収容されているか否かを検知するリモコン検知部と、
をさらに備え、
前記表示切換部は、前記第１の状態で前記リモコン収容部から前記リモコンが取り出された場合に、前記第２の状態に切り換えることを特徴とする映像表示装置。
【請求項３】
請求項２に記載の映像表示装置であって、前記音声送信部は、前記第１の状態で前記リモコン収容部から前記リモコンが取り出された場合に、前記無線信号を送信することを特徴とする映像表示装置。
【請求項４】
第１の映像信号に基づく第１の映像、及び第２の映像信号に基づく第２の映像を表示可能な表示部と、
前記表示部の略全面に前記第１の映像を表示させる第１の状態と、前記表示部に前記第１の映像及び前記第２の映像を並べて表示する第２の状態とを切り換える表示切換部と、
遠隔操作を行うためのリモコンと、
前記リモコンを収容可能なリモコン収容部と、
前記リモコン収容部に前記リモコンが収容されているか否かを検知するリモコン検知部と、を備え、
前記表示切換部は、前記第１の状態で前記リモコン収容部から前記リモコンが取り出された場合に、前記第２の状態に切り換えることを特徴とする映像表示装置。
【請求項５】
第１の映像信号に基づく第１の映像、及び第２の映像信号に基づく第２の映像を表示可能な表示部と、
前記表示部の略全面に前記第１の映像を表示させる第１の状態と、前記表示部に前記第１の映像及び前記第２の映像を並べて表示する第２の状態とを切り換える表示切換部と、
遠隔操作を行うためのリモコンと、
前記リモコンを収容可能なリモコン収容部と、
前記リモコン収容部に前記リモコンが収容されているか否かを検知するリモコン検知部と、
を備えた映像表示装置の制御方法であって、
前記リモコン検知部が、前記リモコン収容部から前記リモコンが取り出されたことを検知するステップと、
前記リモコン検知部が、前記第１の状態で前記リモコンが取り出されたことを検知した場合に、前記表示切換部が、前記表示部の表示状態を前記第２の状態に切り換えるステップと、
を備えたことを特徴とする映像表示装置の制御方法。
【発明の詳細な説明】
【技術分野】
【０００１】
本発明は、複数の映像信号に応じた複数の映像を表示可能な映像表示装置及びその制御方法に関する。
【背景技術】
【０００２】
異なる映像信号に応じた複数の映像を１つの画面内に表示可能な映像表示装置が知られている。このような映像表示装置を用いることにより、複数の人がそれぞれ異なる映像を見ることが可能になっている。しかしながら、音声については、映像表示装置が備えるスピーカから複数の音声を同時に出力しても、これを適切に聞き取ることは困難である。このため、従来は、映像表示装置が備える音声出力端子にイヤホンやヘッドホンを接続して、少なくとも１人の視聴者はヘッドホン等を介して音声を聞く必要があった。
一方、特許文献１には、映像表示装置（テレビジョン受像機）の左右に備わる２つのスピーカから２つの音声を出力する場合に、その聞き分け（聞き取り）を容易にする技術が提案されている。
【０００３】
【特許文献１】特開平９−３２２０９４号公報  （第１２〜１４頁、第５〜７図）
【発明の開示】
【発明が解決しようとする課題】
【０００４】
しかしながら、映像表示装置からヘッドホン等で音声を聞く場合には、ヘッドホン等のケーブルの長さによって視聴位置が制限されてしまうため、利便性が悪いという問題を有している。
また、特許文献１に記載の技術を適用した場合であっても、視聴対象とは異なる音声が相当の音量で耳に入ることになるため、視聴に集中することが困難であるうえ、十分な効果を得るためには視聴位置が制限されてしまうという問題を有している。
【０００５】
本発明は上記問題に鑑みてなされたものであり、その目的は、複数の人が異なる映像及び音声を視聴する場合の利便性を向上することが可能な映像表示装置及びその制御方法を提供することにある。
【課題を解決するための手段】
【０００６】
本発明の映像表示装置は、第１の映像信号に基づく第１の映像、及び第２の映像信号に基づく第２の映像を表示可能な表示部と、前記第１の映像信号に対応する第１の音声信号に基づく第１の音声を出力するための第１の音声出力部と、前記第２の映像信号に対応する第２の音声信号を無線信号に変換し、当該無線信号を送信する音声送信部と、遠隔操作を行うためのリモコンとを備え、前記リモコンは、前記音声送信部から送信される前記無線信号を受信する音声受信部と、前記音声受信部で受信した無線信号に基づく第２の音声を出力するための第２の音声出力部とを備えたことを特徴とする。
【０００７】
この映像表示装置によれば、遠隔操作を行うためのリモコンが、音声送信部から送信される無線信号を受信する音声受信部と、受信した無線信号に基づく音声を出力するための第２の音声出力部とを備えているため、リモコンを介して第２の音声を聞くことが可能となる。この結果、複数の人が異なる映像及び音声を視聴する場合に、それぞれの視聴位置が制限されることがなくなり、利便性が向上する。
【０００８】
この映像表示装置において、前記表示部の略全面に前記第１の映像を表示させる第１の状態と、前記表示部に前記第１の映像及び前記第２の映像を並べて表示する第２の状態とを切り換える表示切換部と、前記リモコンを収容可能なリモコン収容部と、前記リモコン収容部に前記リモコンが収容されているか否かを検知するリモコン検知部とをさらに備え、前記表示切換部は、前記第１の状態で前記リモコン収容部から前記リモコンが取り出された場合に、前記第２の状態に切り換えることが望ましい。
【０００９】
この映像表示装置によれば、リモコン収容部からリモコンを取り出すことによって、第２の状態に移行させることが可能となる。この結果、複数の人が異なる映像や音声を視聴可能な状態に容易に移行することが可能となり、利便性が向上する。
【００１０】
この映像表示装置において、前記音声送信部は、前記第１の状態で前記リモコン収容部から前記リモコンが取り出された場合に、前記無線信号を送信すること望ましい。
【００１１】
この映像表示装置によれば、リモコンがリモコン収容部に収容されている場合、つまり、表示部に第２の映像が表示されない場合には、無線信号（第２の音声信号）を送信しないため、不要な電力消費を抑制することが可能となる。
【００１２】
本発明の映像表示装置は、第１の映像信号に基づく第１の映像、及び第２の映像信号に基づく第２の映像を表示可能な表示部と、前記表示部の略全面に前記第１の映像を表示させる第１の状態と、前記表示部に前記第１の映像及び前記第２の映像を並べて表示する第２の状態とを切り換える表示切換部と、遠隔操作を行うためのリモコンと、前記リモコンを収容可能なリモコン収容部と、前記リモコン収容部に前記リモコンが収容されているか否かを検知するリモコン検知部と、を備え、前記表示切換部は、前記第１の状態で前記リモコン収容部から前記リモコンが取り出された場合に、前記第２の状態に切り換えることを特徴とする。
【００１３】
この映像表示装置によれば、リモコン収容部からリモコンを取り出すことによって、第２の状態に移行させることが可能となる。この結果、複数の人が異なる映像や音声を視聴可能な状態に容易に移行することが可能となり、利便性が向上する。
【００１４】
本発明の映像表示装置の制御方法は、第１の映像信号に基づく第１の映像、及び第２の映像信号に基づく第２の映像を表示可能な表示部と、前記表示部の略全面に前記第１の映像を表示させる第１の状態と、前記表示部に前記第１の映像及び前記第２の映像を並べて表示する第２の状態とを切り換える表示切換部と、遠隔操作を行うためのリモコンと、前記リモコンを収容可能なリモコン収容部と、前記リモコン収容部に前記リモコンが収容されているか否かを検知するリモコン検知部とを備えた映像表示装置の制御方法であって、前記リモコン検知部が、前記リモコン収容部から前記リモコンが取り出されたことを検知するステップと、前記リモコン検知部が、前記第１の状態で前記リモコンが取り出されたことを検知した場合に、前記表示切換部が、前記表示部の表示状態を前記第２の状態に切り換えるステップとを備えたことを特徴とする。
【００１５】
この制御方法によれば、リモコン収容部からリモコンを取り出すことによって、第２の状態に移行させることが可能となる。この結果、複数の人が異なる映像や音声を視聴可能な状態に容易に移行することが可能となり、利便性が向上する。
【００１６】
また、上述した映像表示装置及びその制御方法が、映像表示装置に備えられたコンピュータを用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１７】
以下、本発明の実施形態に係る映像表示装置について、図面を参照して説明する。本実施形態の映像表示装置は、テレビ放送電波を受信して、テレビ放送に基づくテレビ映像を表示可能なテレビジョン装置である。
図１（ａ）、（ｂ）は、本実施形態の映像表示装置を示す正面図である。
図１（ａ）、（ｂ）に示すように、映像表示装置１は、装置本体２と、装置本体２を遠隔操作するための２つのリモコンＲ１，Ｒ２とで構成されている。
装置本体２の正面には、映像を表示する表示部１１、音声を出力するスピーカ１２、リモコンＲ１，Ｒ２からの操作信号（赤外線信号）を受信する操作信号受信部１３、及び、リモコンＲ２を収容可能なリモコン収容部４が備えられている。また、リモコンＲ２は、ヘッドホンＨやイヤホン等の音声出力機器を接続可能な音声出力端子（ステレオミニジャック）６５をその側面に備えている。
【００１８】
ここで、本実施形態の映像表示装置１は、図１（ａ）に示すように、表示部１１の略全面に１つの番組Ｐ１を表示する全画面表示状態と、図１（ｂ）に示すように、表示部１１に２つの番組Ｐ１，Ｐ２を並べて表示する２画面表示状態とを切り換え可能になっている。リモコンＲ１は、全画面表示状態及び２画面表示状態において、番組Ｐ１の変更（チャンネルの変更）やその音量の調整等を行うために用いられるものである。また、リモコンＲ２は、２画面表示状態において、番組Ｐ２の変更（チャンネル変更）やその音量の調整等を行うためのものであり、必要に応じてリモコン収容部４から取り出され、使用後にリモコン収容部４に収容される。なお、全画面表示状態は、本発明の第１の状態に相当し、２画面表示状態は、本発明の第２の状態に相当する。
【００１９】
図２は、映像表示装置１の概略構成を示すブロック図である。
図２に示すように、映像表示装置１の装置本体２は、前述した表示部１１、スピーカ１２、操作信号受信部１３に加えて、制御部１０と、リモコン検知部１４と、信号処理部１５とを備えている。
【００２０】
制御部１０は、ＣＰＵ（Central Processing Unit）や、フラッシュメモリ等からなるＲＯＭ（Read Only Memory）、各種データの一時記憶に用いられるＲＡＭ（Random Access Memory）等によって構成されており、コンピュータとして機能する。制御部１０は、操作信号受信部１３、リモコン検知部１４、信号処理部１５に接続されており、ＲＯＭに記憶されている制御プログラムに従って、映像表示装置１の動作を統括制御する。
【００２１】
操作信号受信部１３は、赤外線を検知可能なフォトダイオード等によって構成され、リモコンＲ１，Ｒ２から送信される赤外線の操作信号を受信して当該操作信号を制御部１０に伝達する。リモコンＲ１，Ｒ２から送信される操作信号としては、電源のオン・オフや、放送チャンネルの選局、音量の調整等を指示するための信号が入力される。
【００２２】
リモコン検知部１４は、リモコン収容部４（図１参照）の内部に備えられており、リモコン収容部４にリモコンＲ２が収容されているか否かを検知して、検知結果を表す検知信号を制御部１０に出力する。検知方法としては、リモコンＲ２の出し入れに伴ってオン・オフを切り換える機械式のスイッチ機構や、光センサ、磁気センサ等の各種方法を用いることができる。
【００２３】
信号処理部１５は、２つのチューナ２１，２２、２つのデマルチプレクサ２３，２４、２つの映像信号処理部２５，２６、２つの音声信号処理部２７，２８、映像出力回路２９、音声出力回路３０、ＦＭ（Frequency Modulation）トランスミッタ３１等を備えており、これらは制御部１０の制御に従って動作する。
【００２４】
信号処理部１５には、デジタルのテレビ放送電波を受信可能なアンテナＡＮが接続されており、アンテナＡＮが受信したテレビ放送電波は、テレビ放送信号としてチューナ２１，２２に入力される。チューナ２１，２２は、入力されるテレビ放送信号から、リモコンＲ１，Ｒ２を用いて選局された放送チャンネルの放送信号を取り出し、それぞれデマルチプレクサ２３，２４に出力する。なお、テレビ放送電波に含まれる放送信号は、ＭＰＥＧ２のトランスポートストリームであり、映像信号を符号化したビデオストリームや、音声信号を符号化したオーディオストリーム等が多重化された信号である。
【００２５】
なお、これ以降、チューナ２１で取り出された放送信号に含まれる映像信号（ビデオストリーム）、音声信号（オーディオストリーム）をそれぞれ第１の映像信号、第１の音声信号とも呼び、チューナ２２で取り出された放送信号に含まれる映像信号（ビデオストリーム）、音声信号（オーディオストリーム）をそれぞれ第２の映像信号、第２の音声信号とも呼ぶ。
【００２６】
デマルチプレクサ２３，２４は、それぞれチューナ２１，２２から入力されるトランスポートストリームを、ビデオストリームやオーディオストリーム等に分離し、ビデオストリームを映像信号処理部２５，２６にそれぞれ出力し、オーディオストリームを音声信号処理部２７，２８にそれぞれ出力する。
【００２７】
映像信号処理部２５，２６は、ビデオデコーダ等を有しており、それぞれデマルチプレクサ２３，２４から入力されるビデオストリームを復号化して、符号化前の映像信号を復元するとともに、復元した映像信号に各種信号処理を施して、映像出力回路２９に出力する。
【００２８】
映像出力回路２９は、制御部１０に指示に基づいて、映像信号処理部２５，２６から入力される映像信号を、表示部１１で表示可能な形式の映像信号に変換し、変換後の映像信号を表示部１１に出力する。このとき、映像出力回路２９は、制御部１０の指示に従って全画面表示状態と２画面表示状態とを切り換えることができる。全画面表示状態では、映像出力回路２９は、映像信号処理部２５から入力される第１の映像信号に基づく映像（第１の映像）を表示部１１の略全面に表示させ、２画面表示状態では、映像信号処理部２５，２６からそれぞれ入力される映像信号に基づく２つの映像、即ち第１の映像信号に基づく映像（第１の映像）と第２の映像信号に基づく映像（第２の映像）とを表示部１１に並べて表示させる。なお、制御部１０は、表示状態（全画面表示状態か２画面表示状態か）の切り換えを映像出力回路２９に指示する際に、切り換え後の表示状態を表す情報（表示情報）を自らのＲＡＭに記憶するようになっており、この表示情報を参照することにより、現在の表示状態を認識することができる。
【００２９】
表示部１１は、例えば、液晶ディスプレイ、プラズマディスプレイ、ＣＲＴ（Cathode Ray Tube）、ＦＥＤ（Field Emission Display）、有機ＥＬ（Electro Luminescence）ディスプレイ、プロジェクタ、リアプロジェクタ等を利用した表示手段であり、映像出力回路２９から入力される映像信号に基づく映像を表示する。
【００３０】
音声信号処理部２７，２８は、オーディオデコーダ等を有しており、それぞれデマルチプレクサ２３，２４から入力されるオーディオストリームを復号化して、符号化前の音声信号を復元するとともに、復元した音声信号に各種信号処理を施す。音声信号処理部２７は、処理後の音声信号（第１の音声信号）を音声出力回路３０に出力し、音声信号処理部２８は、処理後の音声信号（第２の音声信号）をＦＭトランスミッタ３１に出力する。
【００３１】
音声出力回路３０は、音声信号処理部２７から入力される第１の音声信号をＤ／Ａ変換し、さらにリモコンＲ１によって指定された音量となるよう増幅した後、これをスピーカ１２に出力する。この結果、第１の音声信号に基づく音声（第１の音声）が、スピーカ１２から出力される。
【００３２】
ＦＭトランスミッタ３１は、音声信号処理部２８から入力される第２の音声信号をＤ／Ａ変換し、変換後の音声信号を所定の周波数帯でＦＭ変調して、変調後の音声信号（ＦＭ波）を図示しない送信アンテナにより無線信号として送信する。なお、送信した音声信号が放送波と干渉することがないよう、ＦＭ変調する際の周波数帯をユーザが複数の周波数帯から選択できるようにすることが望ましい。
【００３３】
リモコンＲ１は、制御部４０と、操作部４１と、操作信号送信部４２とを備えている。
制御部４０は、ＣＰＵやＲＯＭ等からなり、ＲＯＭに記憶されている制御プログラムに従ってリモコンＲ１の動作を統括制御する。
操作部４１は、装置本体２を遠隔操作するための複数の操作キーで構成されている。操作部４１が備える操作キーとしては、電源のオン・オフを指示するための電源キー、チューナ２１において放送チャンネルの選局を行うためのチャンネルキー、チューナ２１で選局された放送チャンネルの音量を調整するためのボリュームキー等がある。ユーザがこれらの操作キーを操作（押下）すると、操作部４１は、操作された操作キーを特定可能な信号を制御部４０に出力する。制御部４０は、入力された信号に基づいて、操作された操作キーに対応する操作信号を操作信号送信部４２に出力する。
操作信号送信部４２は、赤外線を発するＬＥＤ（Light Emitting Diode）等によって構成され、制御部４０から入力される操作信号に基づいて、赤外線の操作信号を送信する。
【００３４】
リモコンＲ２は、制御部６０と、操作部６１と、操作信号送信部６２と、ＦＭ受信部６３と、音声出力回路６４と、音声出力端子６５とを備えている。
制御部６０、操作部６１、及び操作信号送信部６２は、それぞれリモコンＲ１における制御部４０、操作部４１、及び操作信号送信部４２と同等の構成、機能を有するものであるが、操作部６１が備える操作キーとしては、チューナ２２において放送チャンネルの選局を行うためのチャンネルキー、チューナ２２で選局された放送チャンネルの音量を調整するためのボリュームキー等がある。
【００３５】
ＦＭ受信部６３は、ＦＭトランスミッタ３１から送信された第２の音声信号を図示しない受信アンテナによって受信して復調する。
音声出力回路６４は、ＦＭ受信部６３で復調された第２の音声信号を、リモコンＲ２によって指定された音量となるよう増幅した後、これを音声出力端子６５に出力する。この結果、第２の音声信号に基づく音声（第２の音声）が、音声出力端子６５に接続されたヘッドホンＨから出力される。
【００３６】
次に、映像表示装置１の動作について説明する。なお、リモコンＲ２は、リモコン収容部４に収容された状態にあるものとする。
映像表示装置１に商用電源が供給されると、制御部１０は、制御プログラムに従った動作を開始し、所定の初期化動作を行った後、映像出力回路２９に指示をして、第１の映像信号に応じた映像を表示部１１の略全面に表示させる。この状態（全画面表示状態）では、ＦＭトランスミッタ３１は、制御部１０の指示により、第２の音声信号の送信を停止している。
制御部１０は、操作信号受信部１３から入力される操作信号を定期的に監視しており、ユーザは、リモコンＲ１を用いてチャンネルの変更や音量の増減等の各種操作を行うことができる。
さらに、制御部１０は、リモコン検知部１４からの検知信号を定期的に監視しており、この検知信号に基づいて、リモコンＲ２の収容状況に応じた動作を行う。
【００３７】
図３は、リモコンＲ２の収容状況に応じた動作を説明するためのフローチャートである。
図３に示すように、ステップＳ１０１では、制御部１０は、リモコン検知部１４からの検知信号に基づいて、リモコンＲ２がリモコン収容部４から取り出された状態にあるか、或いはリモコンＲ２がリモコン収容部４に収容された状態にあるかを判断する。この結果、リモコンＲ２がリモコン収容部４から取り出された状態にある場合には、ステップＳ１０２に移行する。一方、リモコンＲ２がリモコン収容部４に収容された状態にある場合には、ステップＳ１０５に移行する。
【００３８】
リモコンＲ２がリモコン収容部４から取り出された状態にあり、ステップＳ１０２に移行した場合には、制御部１０は、ＲＡＭに記憶されている表示情報を参照して、表示部１１の表示状態が２画面表示状態か否かを判断する。この結果、２画面表示状態である場合には処理を終了し、全画面表示状態である場合には、ステップＳ１０３に移行する。
【００３９】
ステップＳ１０２において、表示部１１が全画面表示状態であり、ステップＳ１０３に移行した場合には、制御部１０は、映像出力回路２９に指示をして２画面表示状態に切り換え、第１の映像信号に基づく映像と、第２の映像信号に基づく映像とを並べて表示部１１に表示させる（図１（ｂ）参照）。
【００４０】
その後、ステップＳ１０４では、制御部１０は、ＦＭトランスミッタ３１に指示をして、第２の音声信号の送信を開始させた後、処理を終了する。
【００４１】
一方、ステップＳ１０１において、リモコンＲ２がリモコン収容部４に収容された状態にあり、ステップＳ１０５に移行した場合には、制御部１０は、ＲＡＭに記憶されている表示情報を参照して、表示部１１の表示状態が全画面表示状態か否かを判断する。この結果、全画面表示状態である場合には処理を終了し、２画面表示状態である場合には、ステップＳ１０６に移行する。
【００４２】
ステップＳ１０５において、表示部１１が２画面表示状態にあり、ステップＳ１０６に移行した場合には、制御部１０は、映像出力回路２９に指示をして全画面表示状態に切り換え、第１の映像信号に基づく映像を表示部１１の略全面に表示させる（図１（ａ）参照）。
【００４３】
その後、ステップＳ１０７では、制御部１０は、ＦＭトランスミッタ３１に指示をして、第２の音声信号の送信を停止させた後、処理を終了する。
【００４４】
映像表示装置１は、上記のように動作するため、ユーザは、リモコン収容部４からリモコンＲ２を取り出すことによって、表示部１１の表示状態を全画面表示状態から２画面表示状態にすることができる。また、取り出したリモコンＲ２の音声出力端子６５にヘッドホンＨを接続することにより、２画面表示状態になって新たに表示された映像に対応する音声を聴くことができる。その後、ユーザが、リモコンＲ２をリモコン収容部４に収容すれば、表示部１１の表示状態は、２画面表示状態から全画面表示状態に戻る。
【００４５】
以上説明したように、本実施形態の映像表示装置１によれば、以下の効果を得ることができる。
（１）本実施形態の映像表示装置１によれば、遠隔操作を行うためのリモコンＲ２が、ＦＭトランスミッタ３１から送信される第２の音声信号を受信するＦＭ受信部６３と、この音声信号に基づく音声を出力するための音声出力回路６４及び音声出力端子６５とを備えているため、リモコンＲ２を介して第２の音声信号に基づく音声を聞くことが可能となる。この結果、複数の人が異なる映像及び音声を視聴する場合に、それぞれの視聴位置が制限されることがなくなり、利便性が向上する。
【００４６】
（２）本実施形態の映像表示装置１によれば、リモコン収容部４からリモコンＲ２を取り出すことによって、２画面表示状態に移行させることが可能となるため、複数の人が異なる映像や音声を視聴可能な状態に容易に移行することが可能となり、利便性が向上する。
【００４７】
（３）本実施形態の映像表示装置１によれば、リモコンＲ２がリモコン収容部４に収容されている場合、つまり、表示部１１に第２の映像信号に基づく映像が表示さてれない場合には、ＦＭトランスミッタ３１から第２の音声信号が送信されないため、不要な電力消費を抑制することが可能となる。
【００４８】
なお、本明細書において、音声出力回路３０及びスピーカ１２は、本発明の第１の音声出力部に相当し、ＦＭトランスミッタ３１は、本発明の音声送信部に相当し、ＦＭ受信部６３は、本発明の音声受信部に相当し、音声出力回路６４及び音声出力端子６５は、本発明の第２の音声出力部に相当する。また、制御部１０及び映像出力回路２９は、全画面表示状態（第１の状態）と２画面表示状態（第２の状態）とを切り換えることから、本発明の表示切換部に相当する。
【００４９】
（変形例）
なお、本発明の実施形態は、以下のように変更してもよい。
前記実施形態では、デジタルのテレビ放送電波を受信可能な構成を示しているが、アナログ形式の映像表示装置についても、本発明を適用可能である。
【００５０】
前記実施形態では、装置本体２が内蔵するチューナ２１，２２から映像信号及び音声信号が入力される構成を示したが、映像信号及び音声信号の供給元は内蔵のチューナ２１，２２に限られず、外付けのチューナや、各種映像再生装置、パーソナルコンピュータ等、外部の画像供給装置であってもよい。このため、映像表示装置としては、テレビジョン装置に限定されず、映像信号及び音声信号が複数組入力され得る構成を有していれば、他の表示装置についても適用可能である。
また、装置本体２が内蔵する記憶装置や、外部から装着された記憶媒体（いずれも図示せず）等に記憶されている映像データや音声データを映像信号や音声信号として読み出し、これらの信号に基づいた映像表示や音声出力を行う態様とすることも可能である。
【００５１】
前記実施形態では、２つの番組（映像）を並べて表示可能な構成を示したが、３つ以上の番組（映像）を表示可能な構成としてもよい。
【図面の簡単な説明】
【００５２】
【図１】（ａ）、（ｂ）は、映像表示装置を示す正面図。
【図２】映像表示装置の概略構成を示すブロック図。
【図３】リモコンの収容状況に応じた動作を説明するためのフローチャート。
【符号の説明】
【００５３】
１…映像表示装置、２…装置本体、４…リモコン収容部、１０…制御部、１１…表示部、１２…スピーカ、１３…操作信号受信部、１４…リモコン検知部、１５…信号処理部、２１，２２…チューナ、２３，２４…デマルチプレクサ、２５，２６…映像信号処理部、２７，２８…音声信号処理部、２９…映像出力回路、３０…音声出力回路、３１…ＦＭトランスミッタ、４０…制御部、４１…操作部、４２…操作信号送信部、６０…制御部、６１…操作部、６２…操作信号送信部、６３…ＦＭ受信部、６４…音声出力回路、６５…音声出力端子、ＡＮ…アンテナ、Ｈ…ヘッドホン、Ｒ１，Ｒ２…リモコン。
【図１】
2008148182.tif 000003
【図２】
2008148182.tif 000004
【図３】
2008148182.tif 000005